(57)【特許請求の範囲】
【請求項１】
燃料供給量が供給量調整弁を介して調整されるバーナにより湯水を加熱しながら供給する機能を備えた燃焼装置であって、
前記供給量調整弁の温度に影響を与える湯水の温度を検出する湯温検出手段と、
前記湯温検出手段による検出温度と温水供給運転状態とに基づいて、所定のタイミングごとに所定の分量を加減算しながら変量を求める計数手段と、
前記計数手段により求められる変量に基づいて、前記バーナの燃焼制御範囲を切り替える燃焼制御手段と、
を有することを特徴とする、燃焼装置。
【請求項２】
バーナにより湯水を加熱しながら供給する機能を備えた燃焼装置であって、
前記バーナに加熱される前の湯水の温度を検出する加熱前温度検出手段と、
前記加熱前温度検出手段による検出温度と温水供給運転状態とに基づいて、所定のタイミングごとに所定の分量を加減算しながら変量を求める計数手段と、
前記計数手段により求められる変量に基づいて、前記バーナの燃焼制御範囲を切り替える燃焼制御手段と、
を有することを特徴とする、燃焼装置。
【請求項３】
燃料供給量が供給量調整弁を介して調整されるバーナにより湯水を加熱しながら供給する機能を備えた燃焼装置であって、
前記供給量調整弁の温度に影響を与える湯水の温度を検出する湯温検出手段と、
装置本体内の雰囲気温度を検出する雰囲気温度検出手段と、
前記湯温検出手段および雰囲気温度検出手段による双方の検出温度と温水供給運転状態とに基づいて、所定のタイミングごとに所定の分量を加減算しながら変量を求める計数手段と、
前記計数手段により求められる変量に基づいて、前記バーナの燃焼制御範囲を切り替える燃焼制御手段と、
を有することを特徴とする、燃焼装置。
【請求項４】
バーナにより湯水を加熱しながら供給する機能を備えた燃焼装置であって、
前記バーナに加熱される前の湯水の温度を検出する加熱前温度検出手段と、
装置本体内の雰囲気温度を検出する雰囲気温度検出手段と、
前記加熱前温度検出手段および雰囲気温度検出手段による双方の検出温度と温水供給運転状態とに基づいて、所定のタイミングごとに所定の分量を加減算しながら変量を求める計数手段と、
前記計数手段により求められる変量に基づいて、前記バーナの燃焼制御範囲を切り替える燃焼制御手段と、
を有することを特徴とする、燃焼装置。
【請求項５】
燃料供給量が供給量調整弁を介して調整されるバーナにより湯水を加熱しながら供給する機能を備えた燃焼装置であって、
前記供給量調整弁の温度に影響を与える湯水の温度を検出する湯温検出手段と、
前記湯温検出手段による検出温度と温水供給運転状態とに基づいて、所定のタイミングごとに所定の分量を加減算しながら変量を求める計数手段と、
前記計数手段により求められる変量に基づいて、前記バーナに対する燃焼空気量を補正制御する燃焼制御手段と、
を有することを特徴とする、燃焼装置。
【請求項６】
バーナにより湯水を加熱しながら供給する機能を備えた燃焼装置であって、
前記バーナに加熱される前の湯水の温度を検出する加熱前温度検出手段と、
前記加熱前温度検出手段による検出温度と温水供給運転状態とに基づいて、所定のタイミングごとに所定の分量を加減算しながら変量を求める計数手段と、
前記計数手段により求められる変量に基づいて、前記バーナに対する燃焼空気量を補正制御する燃焼制御手段と、
を有することを特徴とする、燃焼装置。
【請求項７】
燃料供給量が供給量調整弁を介して調整されるバーナにより湯水を加熱しながら供給する機能を備えた燃焼装置であって、
前記供給量調整弁の温度に影響を与える湯水の温度を検出する湯温検出手段と、
装置本体内の雰囲気温度を検出する雰囲気温度検出手段と、
前記湯温検出手段および雰囲気温度検出手段による双方の検出温度と温水供給運転状態とに基づいて、所定のタイミングごとに所定の分量を加減算しながら変量を求める計数手段と、
前記計数手段により求められる変量に基づいて、前記バーナに対する燃焼空気量を補正制御する燃焼制御手段と、
を有することを特徴とする、燃焼装置。
【請求項８】
バーナにより湯水を加熱しながら供給する機能を備えた燃焼装置であって、
前記バーナに加熱される前の湯水の温度を検出する加熱前温度検出手段と、
装置本体内の雰囲気温度を検出する雰囲気温度検出手段と、
前記加熱前温度検出手段および雰囲気温度検出手段による双方の検出温度と温水供給運転状態とに基づいて、所定のタイミングごとに所定の分量を加減算しながら変量を求める計数手段と、
前記計数手段により求められる変量に基づいて、前記バーナに対する燃焼空気量を補正制御する燃焼制御手段と、
を有することを特徴とする、燃焼装置。
【請求項９】
燃料供給量を調整するための供給量調整弁を備えた燃焼装置であって、
燃焼時間を計時する計時手段と、
前記計時手段による計時量に基づいて、前記供給量調整弁を補正制御する補正制御手段と、
を有することを特徴とする、燃焼装置。
【請求項１０】
前記計時手段は、非燃焼時に計時量を初期化する、請求項９に記載の燃焼装置。
【請求項１１】
前記計時手段は、非燃焼時に計時量を減算する、請求項９に記載の燃焼装置。
【請求項１２】
装置本体内の雰囲気温度を検出する雰囲気温度検出手段を備え、前記補正制御手段は、前記雰囲気温度検出手段による検出温度と前記計時手段による計時量とに基づいて前記供給量調整弁を補正制御する、請求項９ないし１１のいずれかに記載の燃焼装置。
【発明の詳細な説明】
【０００１】
【発明の属する技術分野】
本発明は、燃料供給量が供給量調整弁を介して調整されるバーナにより湯水を加熱しながら供給する機能を備えた燃焼装置に関する。
【０００２】
【従来の技術】
ガス燃焼方式による給湯装置には、バーナにより加熱した湯水を循環させながらファンコンベクタなどの温水暖房器具に供給するタイプがある。バーナに対するガス供給量は、永久磁石とムービングコイルからなる供給量調整弁を介して調整されるが、装置全体のコンパクト化により装置内の雰囲気温度が上昇しやすく、供給量調整弁の温度が上昇することなどを一因としてガス供給量の低下を招くことが知られている。
【０００３】
【発明が解決しようとする課題】
上記したように、従来の給湯装置では、供給量調整弁の温度上昇などを一因としてガス供給量が低下するが、これでは精度良く燃焼制御を行うことができず、この点に関して何ら配慮されることなく燃焼制御手順が規定されていた。
【０００４】
【発明の開示】
本発明は、このような事情のもとで考え出されたものであって、供給量調整弁の温度上昇などに係わらず精度良く燃焼制御を行うことができる燃焼装置を提供することを、その課題としている。
【０００５】
上記の課題を解決するため、本発明では、次の技術的手段を講じている。
【０００６】
すなわち、本発明の第１の側面によれば、燃料供給量が供給量調整弁を介して調整されるバーナにより湯水を加熱しながら供給する機能を備えた燃焼装置であって、供給量調整弁の温度に影響を与える湯水の温度を検出する湯温検出手段と、湯温検出手段による検出温度と温水供給運転状態とに基づいて、所定のタイミングごとに所定の分量を加減算しながら変量を求める計数手段と、計数手段により求められる変量に基づいて、バーナの燃焼制御範囲を切り替える燃焼制御手段とを有することを特徴とする、燃焼装置が提供される。
【０００７】
本発明の第２の側面によれば、バーナにより湯水を加熱しながら供給する機能を備えた燃焼装置であって、バーナに加熱される前の湯水の温度を検出する加熱前温度検出手段と、加熱前温度検出手段による検出温度と温水供給運転状態とに基づいて、所定のタイミングごとに所定の分量を加減算しながら変量を求める計数手段と、計数手段により求められる変量に基づいて、バーナの燃焼制御範囲を切り替える燃焼制御手段とを有することを特徴とする、燃焼装置が提供される。
【０００８】
本発明の第３の側面によれば、燃料供給量が供給量調整弁を介して調整されるバーナにより湯水を加熱しながら供給する機能を備えた燃焼装置であって、供給量調整弁の温度に影響を与える湯水の温度を検出する湯温検出手段と、装置本体内の雰囲気温度を検出する雰囲気温度検出手段と、湯温検出手段および雰囲気温度検出手段による双方の検出温度と温水供給運転状態とに基づいて、所定のタイミングごとに所定の分量を加減算しながら変量を求める計数手段と、計数手段により求められる変量に基づいて、バーナの燃焼制御範囲を切り替える燃焼制御手段とを有することを特徴とする、燃焼装置が提供される。
【０００９】
本発明の第４の側面によれば、バーナにより湯水を加熱しながら供給する機能を備えた燃焼装置であって、バーナに加熱される前の湯水の温度を検出する加熱前温度検出手段と、装置本体内の雰囲気温度を検出する雰囲気温度検出手段と、加熱前温度検出手段および雰囲気温度検出手段による双方の検出温度と温水供給運転状態とに基づいて、所定のタイミングごとに所定の分量を加減算しながら変量を求める計数手段と、計数手段により求められる変量に基づいて、バーナの燃焼制御範囲を切り替える燃焼制御手段とを有することを特徴とする、燃焼装置が提供される。
【００１０】
本発明の第５の側面によれば、燃料供給量が供給量調整弁を介して調整されるバーナにより湯水を加熱しながら供給する機能を備えた燃焼装置であって、供給量調整弁の温度に影響を与える湯水の温度を検出する湯温検出手段と、湯温検出手段による検出温度と温水供給運転状態とに基づいて、所定のタイミングごとに所定の分量を加減算しながら変量を求める計数手段と、計数手段により求められる変量に基づいて、バーナに対する燃焼空気量を補正制御する燃焼制御手段とを有することを特徴とする、燃焼装置が提供される。
【００１１】
本発明の第６の側面によれば、バーナにより湯水を加熱しながら供給する機能を備えた燃焼装置であって、バーナに加熱される前の湯水の温度を検出する加熱前温度検出手段と、加熱前温度検出手段による検出温度と温水供給運転状態とに基づいて、所定のタイミングごとに所定の分量を加減算しながら変量を求める計数手段と、計数手段により求められる変量に基づいて、バーナに対する燃焼空気量を補正制御する燃焼制御手段とを有することを特徴とする、燃焼装置が提供される。
【００１２】
本発明の第７の側面によれば、燃料供給量が供給量調整弁を介して調整されるバーナにより湯水を加熱しながら供給する機能を備えた燃焼装置であって、供給量調整弁の温度に影響を与える湯水の温度を検出する湯温検出手段と、装置本体内の雰囲気温度を検出する雰囲気温度検出手段と、湯温検出手段および雰囲気温度検出手段による双方の検出温度と温水供給運転状態とに基づいて、所定のタイミングごとに所定の分量を加減算しながら変量を求める計数手段と、計数手段により求められる変量に基づいて、バーナに対する燃焼空気量を補正制御する燃焼制御手段とを有することを特徴とする、燃焼装置が提供される。
【００１３】
本発明の第８の側面によれば、バーナにより湯水を加熱しながら供給する機能を備えた燃焼装置であって、バーナに加熱される前の湯水の温度を検出する加熱前温度検出手段と、装置本体内の雰囲気温度を検出する雰囲気温度検出手段と、加熱前温度検出手段および雰囲気温度検出手段による双方の検出温度と温水供給運転状態とに基づいて、所定のタイミングごとに所定の分量を加減算しながら変量を求める計数手段と、計数手段により求められる変量に基づいて、バーナに対する燃焼空気量を補正制御する燃焼制御手段とを有することを特徴とする、燃焼装置が提供される。
【００１４】
本発明の第９の側面によれば、燃料供給量を調整するための供給量調整弁を備えた燃焼装置であって、燃焼時間を計時する計時手段と、計時手段による計時量に基づいて、供給量調整弁を補正制御する補正制御手段とを有することを特徴とする、燃焼装置が提供される。
【００１５】
好ましい実施の形態によれば、計時手段は、非燃焼時に計時量を初期化する。
【００１６】
他の好ましい実施の形態によれば、計時手段は、非燃焼時に計時量を減算する。
【００１７】
他の好ましい実施の形態によれば、装置本体内の雰囲気温度を検出する雰囲気温度検出手段を備え、補正制御手段は、雰囲気温度検出手段による検出温度と計時手段による計時量とに基づいて供給量調整弁を補正制御する。
【００１８】
本発明によれば、たとえば供給量調整弁の温度が上昇するような運転状態にあっても、それに伴う変量や燃焼時間に基づいて、バーナの燃焼制御範囲を切り替えたり、燃焼空気量を補正制御したり、あるいは直接供給量調整弁を補正制御するので、適正な燃焼状態を維持しながら精度良く燃焼制御を行うことができる。
【００１９】
本発明のその他の特徴および利点は、添付図面を参照して以下に行う発明の実施の形態の説明によって、より明らかになるであろう。
【００２０】
【発明の実施の形態】
以下、本発明の好ましい実施の形態を、図面を参照して具体的に説明する。
【００２１】
図１は、本発明の一実施形態に係る燃焼装置の全体構成図である。この図に示す燃焼装置は、図示しない温水暖房器具に対して湯水を加熱循環させながら供給するための温水暖房用の燃焼ユニット１０と、台所や洗面所などに設けられた水栓Ａを通じて給湯を行うための一般給湯用の燃焼ユニット２０との２種類を内蔵したものである。なお、温水暖房用の燃焼ユニット１０は、風呂の追焚きなどを行う際にも運転され、風呂追焚き用としても利用される。風呂の追焚きは、燃焼ユニット１０で加熱された暖房用の循環湯と風呂の循環湯とを、風呂用熱交換器８０に導くことで行われる。各燃焼ユニット１０，２０は、図示しない操作リモコンを通じて運転を開始させたり停止させられるほか、利用者により各種の設定が可能とされている。
【００２２】
各燃焼ユニット１０，２０には、共通のガス取り入れ口３０からガス配管３１，３２を通じて燃焼燃料となるガスが供給される。ガス取り入れ口３０付近には、元ガス電磁弁３３が設けられている。温水暖房用の燃焼ユニット１０に通じるガス配管３１には、永久磁石とムービングコイルからなる暖房ガス供給量調整弁３４が設けられている。一般給湯用の燃焼ユニット２０に通じるガス配管３２には、同じく永久磁石とムービングコイルからなる給湯ガス供給量調整弁３５が設けられている。
【００２３】
また、各燃焼ユニット１０，２０には、共通の給水口４０から各配管系統を通じて加熱すべき水が供給されるように構成されている。温水暖房用の燃焼ユニット１０に通じる配管系統は、給水口４０付近の給水栓４１から燃焼ユニット１０に至る複数の配水管４２，４３と、配水管４２，４３の間に設けられた膨張タンク４４とで概略構成されている。配水管４２と膨張タンク４４との間には、補給水電磁弁４５が設けられている。膨張タンク４４には、内部に溜まった水位を検出するためのタンク水位センサ４６や、燃焼ユニット１０に導かれる前の温水の温度を検出するためのタンク水温センサ４６Ａが設けられている。配水管４３の途中には、暖房ポンプ４７が設けられている。一方、一般給湯用の燃焼ユニット２０に通じる配管系統は、給水口４０から燃焼ユニット２０に至る配水管５０と、その配水管５０の途中から分岐したバイパス管５１とで概略構成されている。配水管５０の途中には、流量センサ５２や入水温度センサ５３が設けられている。バイパス管５１には、バイパス水量調整弁５４が設けられている。
【００２４】
さらに、温水暖房用の燃焼ユニット１０からは、図示しない温水暖房器具としてのファンコンベクタ（温風器）に対し、比較的高温の温水が導水管６０を通じて供給されるように構成されている。なお、導水管６０を流れる温水の一部は、バイパス管６０Ａを通じて膨張タンク４４に導かれるように構成されている。また、配水管４３からは、図示しない床暖房器具などに対して比較的低温の温水が熱動弁４８を通じて供給されるように構成されている。ファンコンベクタや床暖房器具などでは、温水の放熱効果により暖房が行われる。このような温水暖房器具で利用された温水は、再び膨張タンク４４に戻って循環利用される。たとえば、導水管６０を流れて温水暖房器具に供給される温水の温度を８０℃、温水暖房器具から戻ってくる温水の温度を６０℃とすると、これらの温水がバイパス管６０Ａを通じてきた温水（８０℃）と膨張タンク４４内で混合することで６５℃程度の温水となって再び加熱される。
【００２５】
ここで、図１は、装置全体をできる限り理解しやすいように模式的に示しているが、実際には、装置全体がコンパクト化されているために、暖房ポンプ４７が暖房ガス供給量調整弁３４や給湯ガス供給量調整弁３５に対して極めて近接するように配置されている。そのため、暖房ガス供給量調整弁３４や給湯ガス供給量調整弁３５は、暖房ポンプ４７から温度の影響を受けやすく、特に温水暖房運転時には、通常連続して運転が行われるために暖房ガス供給量調整弁３４や給湯ガス供給量調整弁３５の温度が上昇しやすい傾向にある。
【００２６】
一方、一般給湯用の燃焼ユニット２０からは、導水管６１を通じて水栓Ａに湯水が供給されるように構成されている。導水管６１の途中には、水量調整弁６２や出湯温度センサ６３が設けられている。また、導水管６１の途中には、バイパス管５１が接続されている。なお、浴槽への注湯運転の際、注湯電磁弁（図１における逆止弁６４の左隣の弁）が開けられ、給湯用の湯水が、逆止弁６４、給湯管６５、風呂ポンプ６６を通じて風呂用熱交換器８０まで導かれるように構成されている。
【００２７】
温水暖房用の燃焼ユニット１０は、暖房バーナ１１、暖房ガス電磁弁１２、暖房バーナセンサ１３、暖房点火プラグ１４、暖房送風ファン１５、ファンモータ回転数センサ（図示省略）、および暖房熱交換器１７などで構成されている。なお、温水暖房用の燃焼ユニット１０には、暖房バーナ１１の着火状態を検出するためのフレームロッド（図１で暖房バーナセンサ１３と暖房点火プラグ１４との間に示されるもの）も含まれる。暖房バーナ１１は、ガス配管３１を通じて導かれてきたガスを燃焼させる。暖房ガス電磁弁１２は、それより上流側の暖房ガス供給量調整弁３４とともに暖房バーナ１１に対するガスの供給量を調整し、暖房バーナ１１の燃焼能力を切り替えるために用いられる。暖房バーナセンサ１３は、暖房バーナ１１の燃焼温度（火炎温度）を検出する。暖房点火プラグ１４は、暖房バーナ１１を着火させるために用いられる。暖房送風ファン１５は、ファンモータの駆動力により回転させられて燃焼室内の給排気を行う。ファンモータ回転数センサは、暖房送風ファン１５のファンモータ回転数を検出する。なお、ファンモータ回転数センサは、図示しないファンモータの回転軸に取り付けられたロータリエンコーダなどにより構成されるため、特に図１には示さない。暖房熱交換器１７は、配水管４３を通じて送られてきた温水を暖房バーナ１１の燃焼熱により加熱する。加熱された温水は、導水管６０を通じて送り出される。
【００２８】
一般給湯用の燃焼ユニット２０は、給湯バーナ２１、給湯ガス電磁弁２２、給湯バーナセンサ２３、給湯点火プラグ２４、給湯送風ファン２５、ファンモータ回転数センサ（図示省略）、および給湯熱交換器２７などで構成されている。なお、一般給湯用の燃焼ユニット２０には、給湯バーナ２１の着火状態を検出するためのフレームロッド（図１で給湯バーナセンサ２３と給湯点火プラグ２４との間に示されるもの）も含まれる。給湯バーナ２１は、ガス配管３２を通じて導かれてきたガスを燃焼させる。給湯ガス電磁弁２２は、それより上流側の給湯ガス供給量調整弁３５とともに給湯バーナ２１に対するガスの供給量を調整し、給湯バーナ２１の燃焼能力を切り替えるために用いられる。給湯バーナセンサ２３は、給湯バーナ２１の燃焼温度（火炎温度）を検出する。給湯点火プラグ２４は、給湯バーナ２１を着火させるために用いられる。給湯送風ファン２５は、ファンモータの駆動力により回転させられて燃焼室内の給排気を行う。ファンモータ回転数センサは、給湯送風ファン２５のファンモータ回転数を検出する。なお、ファンモータ回転数センサは、図示しないファンモータの回転軸に取り付けられたロータリエンコーダなどにより構成されるため、特に図１には示さない。給湯熱交換器２７は、配水管５０を通じて送られてきた水を給湯バーナ２１の燃焼熱により加熱する。加熱された湯水は、導水管６１を通じて送り出される。
【００２９】
上記したように各燃焼ユニット１０，２０は、それぞれ個別に構成されたものであって、単独運転も同時運転も可能である。したがって、設置環境や運用状況によっては、温水暖房用の燃焼ユニット１０のみが用いられる場合もあれば、他方の燃焼ユニット２０のみが用いられる場合もある。
【００３０】
さらに、図２は、図１に示す燃焼装置の回路ブロック図である。この燃焼装置は、相互にバス接続されたＣＰＵ１、ＲＯＭ２、ＲＡＭ３、およびＩ／Ｏ４などからなるマイクロコンピュータを有する。Ｉ／Ｏ４には、元ガス電磁弁３３のほか、温水暖房系に属する機能要素として、暖房ガス供給量調整弁３４、暖房ガス電磁弁１２、暖房バーナセンサ１３、暖房点火プラグ１４、暖房送風ファン１５のファンモータ１５Ａ、ファンモータ回転数センサ１６、補給水電磁弁４５、タンク水温センサ４６Ａ、暖房ポンプ４７が接続されている。また、Ｉ／Ｏ４には、一般給湯系に属する機能要素として、給湯ガス供給量調整弁３５、給湯ガス電磁弁２２、給湯バーナセンサ２３、給湯点火プラグ２４、給湯送風ファン２５のファンモータ２５Ａ、ファンモータ回転数センサ２６、流量センサ５２、入水温度センサ５３、出湯温度センサ６３が接続されている。さらに、Ｉ／Ｏ４には、操作リモコンとして台所や浴室に設置された台所リモコン７０や浴室リモコン７１が接続されているとともに、装置本体内の雰囲気温度を検出する雰囲気温度センサ８１が接続されている。なお、図２に示す回路は、あくまでも一例であって主要な回路要素のみを表しており、実際にはこれら以外の要素も接続されている。
【００３１】
ＣＰＵ１は、燃焼装置全体の制御中枢として機能するものであって、ＲＯＭ２に記憶されている燃焼制御プログラムなどに基づいて各部の動作を制御する。ＲＯＭ２には、燃焼制御プログラムや各種のデータテーブルなどが記憶されている。ＲＡＭ３は、ＣＰＵ１にワーキングエリアを提供する。
【００３２】
次に、燃焼装置の動作について図面を参照して説明する。
【００３３】
図３は、温水暖房運転などに伴い実行されるカウント処理のフローチャートである。なお、カウント処理とは、ＣＰＵ１が１秒ごとにカウント値を所定の分量だけ加減算することを意味し、このカウント値を基にして燃焼特性が切り替えられる。カウント値は、０〜９０００の範囲で積算計数される。
【００３４】
図３に示すように、ＣＰＵ１は、暖房運転状態にあるか否かを調べる（Ｓ１）。ここで言う暖房運転状態とは、主に温水暖房運転を意味するが、暖房ポンプ４７の作動中にあって、タンク水温センサ４６Ａにより検出される暖房戻り温度が所定温度以上あり、バーナ１１の燃焼が停止した状態（ハイカット中）も含まれる。また、暖房運転状態には、風呂追焚き運転や凍結予防運転も含まれる。すなわち、暖房ポンプ４７が動作することにより暖房ガス供給量調整弁３４の温度特性に影響を及ぼすような状態が含まれる。
【００３５】
暖房運転状態にある場合（Ｓ１：ＹＥＳ）、ＣＰＵ１は、タンク水温センサ４６Ａにより検出される暖房戻り温度がたとえば３０℃以上か否かを判定する（Ｓ２）。
【００３６】
暖房戻り温度が３０℃以上の場合（Ｓ２：ＹＥＳ）、ＣＰＵ１は、現時点でのカウント値が３６００未満か否かを判定する（Ｓ３）。
【００３７】
カウント値が３６００未満の場合（Ｓ３：ＹＥＳ）、ＣＰＵ１は、現時点でのカウント値に＋２の増分を加え（Ｓ４）、カウント値が９０００になるまで再びカウント処理を繰り返す。つまり、カウント値が０〜９０００の範囲では、諸条件によりその増減分量を変更しながらカウント処理が繰り返される。
【００３８】
一方、Ｓ３において、カウント値が３６００以上の場合（Ｓ３：ＮＯ）、ＣＰＵ１は、現時点でのカウント値に＋１の増分を加え（Ｓ５）、カウント値が９０００になるまで再びカウント処理を繰り返す。要するにこの場合もカウント値が０〜９０００の範囲では、諸条件によりその増減分量を変更しながらカウント処理が繰り返される。そして、カウント値が３６００以上では、暖房ガス供給量調整弁３４の温度がある程度上昇し、それに伴ってガス供給量が低下しつつあるとＣＰＵ１が判定することにより、以下のような処理が行われる。
【００３９】
図４は、暖房送風ファン１５のファンモータ回転数（ｒｐｍ）とガス供給量に基づく暖房燃焼能力（号数）との関係を説明するための説明図、図５は、実際の運転時におけるガス供給量の時間的推移を説明するための説明図である。
【００４０】
まず、図４を参照して説明すると、カウント値が３６００未満では、ファンモータ回転数と暖房燃焼能力（ガス供給量）とが細線に沿うように制御される。そして、カウント値が３６００以上になると、ファンモータ回転数と暖房燃焼能力（ガス供給量）とが太線に沿うように制御される。つまり、ファンモータ回転数がマイナス補正されるとともに、各燃焼能力段数において低能力とすべき部分がカットされる。このようにすれば、図５に示すように、暖房ガス供給量調整弁３４の温度上昇に伴って次第にガス供給量が低下しつつある状況にあっても、暖房ガス供給量調整弁３４を制御するための図４に示す制御マップテーブルがある時点で細線から太線に切り替えられ、暖房ガス供給量調整弁３４が適切な開度となるように制御されるので、連続した適正な温水暖房運転を継続させることができる。要するに、ＣＰＵ１が常に同じ燃焼制御を実行するのであれば、暖房ガス供給量調整弁３４の温度特性により実際のガス供給量が低下してしまうが、本実施形態のように燃焼制御範囲を変更すれば、ＣＰＵ１の出力についても変更されることで図５に示すように実際のガス供給量が所定量以下になることはない。
【００４１】
再び図３に戻って説明すると、Ｓ２において、暖房戻り温度が３０℃未満の場合（Ｓ２：ＮＯ）、ＣＰＵ１は、現時点でのカウント値に−１の差分を加え（Ｓ６）、カウント値が９０００になるまで再びカウント処理を繰り返す。要するにこの場合もカウント値が０〜９０００の範囲では、諸条件によりその増減分量を変更しながらカウント処理が繰り返される。
【００４２】
また、Ｓ１において、暖房運転状態でないと判定した場合（Ｓ１：ＮＯ）、ＣＰＵ１は、暖房戻り温度がたとえば３０℃未満か否かを判定する（Ｓ７）。
【００４３】
そして、暖房戻り温度が３０℃未満の場合（Ｓ７：ＹＥＳ）、ＣＰＵ１は、現時点でのカウント値に−５の差分を加え（Ｓ８）、カウント値が９０００になるまで再びカウント処理を繰り返す。要するにこの場合もカウント値が０〜９０００の範囲では、諸条件によりその増減分量を変更しながらカウント処理が繰り返される。
【００４４】
一方、Ｓ７において、暖房戻り温度が３０℃以上の場合（Ｓ７：ＮＯ）、ＣＰＵ１は、Ｓ６に進んで現時点でのカウント値に−１の差分を加える。
【００４５】
したがって、上記実施形態によれば、暖房ガス供給量調整弁３４の温度が上昇するような暖房燃焼運転状態にあっても、それに伴う変量としてのカウント値に基づいて、バーナ１１の燃焼制御範囲を切り替えるべく低燃焼能力とすべき号数部分をカットしたり、暖房送風ファン１５のファンモータ回転数をダウン補正することで燃焼空気量を補正制御したり、しかも暖房ガス供給量調整弁３４を適当なタイミングで補正制御するので、適正な暖房運転状態を維持しながら精度良く燃焼制御を行うことができる。
【００４６】
特に、バーナ１１の燃焼制御範囲を切り替えるのは、マイコンが常に同じ燃焼制御を実行するのであれば、暖房ガス供給量調整弁３４の温度特性により実際のガス供給量が低下してしまい、その結果として制御範囲が全体的にガス供給量低下側にシフトしてしまうためである。したがって、マイコンによる燃焼制御範囲のうち、各燃焼能力段数（燃焼能力段数ごとに複数の暖房ガス電磁弁１２の開閉状態が相違している状態）の低能力領域（暖房ガス供給量調整弁３４の開度が小さい領域）を除く制御範囲で制御を行うことにより、設計時に想定外の実出力領域における燃焼を無くすことが可能となり、燃焼による不具合を回避することができるのである。
【００４７】
また、低燃焼能力とすべき号数部分をカットするとは、具体的には目標とする号数がそのカットされる低燃焼能力範囲になった場合、図４における太線上のポイントにシフトして燃焼運転を行うことを意味する。なお、暖房ガス供給量調整弁３４の補正制御においては、通常の目標燃焼能力に基づいたマイコン出力に、上記カウント値に基づいた所定の補正量で補正を行う。
【００４８】
なお、上記実施形態では、タンク水温センサ４６Ａにより検出される暖房戻り温度を判定基準とし、カウント値を加減算する際の増分差分のパターンが１つしか用意されていないが、他の実施形態としては、図６に示すように、雰囲気温度センサ８１により検出される雰囲気温度を制御パラメータとして採用し、この雰囲気温度の一定幅ごとにカウント値の増分差分パターンを変化させるようにしても良い。
【００４９】
図６に示すフローチャートは、図３に示すものとほぼ同じステップからなるが、Ｓ１４〜Ｓ１６，Ｓ１８の各ステップでは、雰囲気温度に応じてカウント値を一定範囲内で加減算している。これによれば、よりきめ細かく適正な暖房運転状態を維持しながら精度良く燃焼制御を行うことができる。
【００５０】
なお、本発明は、上記の各実施形態に限定されるものではない。
【００５１】
カウント値に基づく制御としては、低燃焼能力とすべき号数部分をカットした制御、ファンモータ回転数の補正制御、暖房ガス供給量調整弁３４を適当なタイミングで補正制御するといった手法を同時に実行するが、これらの制御を個々に独立して実行するとしても良い。
【００５２】
上記した制御は、カウント値に基づいて実行されるが、単に暖房燃焼運転を開始してからの連続燃焼時間に基づいて実行されるとしても良い。そうした場合、たとえば暖房ガス供給量調整弁３４の開度は、通常の目標燃焼能力に基づいたマイコン出力に、連続燃焼時間に基づく補正量を加えることで決定される。連続燃焼時間の計時においては、非燃焼中に計時を初期化しておいたり、あるいは非燃焼中に減算計時したりするなど種々の設計変更が可能である。また、連続燃焼時間に加えて器具内の雰囲気温度に基づく補正量を加えるとしても良い。
【００５３】
また、各燃焼能力段数の低燃焼能力範囲をカットすることにより、各燃焼能力段数が切り替わる号数領域のラップ分（図４においては、細線の１段目と２段目とで号数領域のラップ分が存在するが、太線の１段目と２段目とで号数領域のラップ分は存在しない）が小さくなったり、あるいは無くなったりした場合でも、燃焼能力段数の切り替え時に１段目と２段目との間でハンチングしないように、燃焼能力段数を切り替える際には温度条件を課すようにしても良い。ここで、温度条件を課すとは、具体的に言うと、現在の目標燃焼能力（目標号数）が変更されることによって１段上または１段下の燃焼能力段数に切り替わる際に、実際に切替動作を行うかどうかを判断する条件として設定温度と検出温度との偏差を用いることを意味する。設定温度とは、循環温水経路内の所定位置における温水の目標温度を意味する。
【００５４】
本発明は、温水暖房用と一般給湯用の２種類の燃焼ユニットを内蔵した燃焼装置に限らず、温水暖房単機能や一般給湯単機能しかない燃焼装置に適用しても良い。
【００５５】
【発明の効果】
以上説明したように、本発明によれば、たとえば供給量調整弁の温度が上昇するような運転状態にあっても、それに伴う変量や燃焼時間に基づいて、バーナの燃焼制御範囲を切り替えたり、燃焼空気量を補正制御したり、あるいは直接供給量調整弁を補正制御するので、適正な燃焼状態を維持しながら精度良く燃焼制御を行うことができる。
【図面の簡単な説明】
【図１】本発明の一実施形態に係る燃焼装置の全体構成図である。
【図２】図１に示す燃焼装置の回路ブロック図である。
【図３】温水暖房運転などに伴い実行されるカウント処理のフローチャートである。
【図４】暖房送風ファンのファンモータ回転数（ｒｐｍ）とガス供給量に基づく暖房燃焼能力（号数）との関係を説明するための説明図である。
【図５】実際の運転時におけるガス供給量の時間的推移を説明するための説明図である。
【図６】他の実施形態に係るカウント処理のフローチャートである。
【符号の説明】
１      ＣＰＵ
２      ＲＯＭ
３      ＲＡＭ
４      Ｉ／Ｏ
１０    温水暖房用の燃焼ユニット
１１    暖房バーナ
１２    暖房ガス電磁弁
１３    暖房バーナセンサ
１４    暖房点火プラグ
１５    暖房送風ファン
１６    ファンモータ回転数センサ
２０    一般給湯用の燃焼ユニット
２１    給湯バーナ
２２    給湯ガス電磁弁
２３    給湯バーナセンサ
２４    給湯点火プラグ
２５    給湯送風ファン
２６    ファンモータ回転数センサ
３４    暖房ガス供給量調整弁
３５    給湯ガス供給量調整弁
４４    膨張タンク
４６Ａ  タンク水温センサ
４７    暖房ポンプ
【図１】
0003797249.tif 000002
【図２】
0003797249.tif 000003
【図３】
0003797249.tif 000004
【図４】
0003797249.tif 000005
【図５】
0003797249.tif 000006
【図６】
0003797249.tif 000007